(57)【要約】【課題】  現在様々な用途で活用されている「ベルト（帯）」の可能性を広げ、その付加価値を最大限に高め、効果的に利用する方法と、その手段を提供する。【解決手段】  ベルト（帯）の使用例を挙げれば、かばんやリュックの吊り下げ部分や手持ち部分、ズボンのずれ落ち防止などの目的で使われる腰を締める帯やサスペンダー、少し解釈を広げてポケット（帯とは巻き付けた細長い布≒縫付けた帯）など、今や道行く人の誰でも一箇所程度は身に付けている。上述した大半のものが安定した力で固定されており、使用状況から推測するにその位置も安定している。本発明はそこにベルト（帯）の可能性を見出し、自在に安定した取り外しが可能なジョイントを使うことにより、便利な小物入れを取付けたり、アクセサリーとして飾ったり、その付加価値を効果的に高めることを特徴とする。【選択図】図１
2008093390.tif 000002
【特許請求の範囲】
【請求項１】
ベルト（帯）を利用することを目的として使われる、自在に安定した取り外しが可能なジョイントであるベルトクリップとその製品。
【請求項２】
請求項１に係るベルトクリップを利用することを目的とし、ベルトクリップを利用することで成立する小物入れや携帯ケースや装飾品等の製品。
【請求項３】
本発明で紹介するリングチェーンを利用した製品。
【発明の詳細な説明】
【技術分野】
【０００１】  本発明は、様々な用途で用いられているベルト（帯）の安定した固定性を利用したジョイントで、その使用状況から便宜上ベルトクリップと名付けたジョイントとその製品に関するものである。
【背景技術】
【０００２】  ベルトと言われると大抵の人がズボン用の腰を締める帯を連想する。このようにベルトの主な用途は固定・連結・支持である。他に身の回りのベルト部分を探してみると、かばんやリュックの吊り下げ部分、手持ち部分、肩掛け部分、衣類やかばんの締付け部分、装飾部分などがある。またベルトは帯であるから、巻き付けた細い布と縫付けた細い布を同義と解釈すれば、広義ではポケットもベルト（帯）に属するといえるので本発明ではポケット部分もベルト（帯）に含めることとする。【０００３】  上述したように本発明でのベルト（帯）の解釈は非常に広義的であるため、大抵の人がそれを身に付けている。そして、ベルト（帯）は大半のものが安定した力で固定されており、使用状況から推測してその位置も安定している。本発明はそこにベルト（帯）の新たなる可能性を見出し、自在に安定した取り外しが可能なジョイントを利用して、その付加価値を効果的に高め、様々な利用方法を模索した結果成されたものである。【０００４】  現在のところ、本発明に係るものは存在しない。もし、本発明が公表されれば市場は大きく反応し、従来の技術を応用して多くの製品が出回ることになるだろう。【０００５】  ここで、本発明に近い考え方によって市場に出回っている製品について記述する。まず、ズボンのベルト穴を利用したキーホルダーのようなものがある。これは類似した発想に基づくものであり様々な種類のものが存在する。ベルト穴は金具を装着しやすいという利点があるが、強度が低く安定に欠け、場所や大きさ、使用条件などの制限が多い。その他にはベルトを巻いたり、ベルトに通したりして装着するポシェットなどの小物入れがある。
【発明の開示】
【発明が解決しようとする課題】
【０００６】  上述の如く、従来のベルト（帯）に対する製品には限界があるため、出回っている製品形態はそれ程の変化もなく今に至っている。最近では喫煙マナー向上のため携帯灰皿がキーホルダーやフックタイプで人気を集めているが、これもベルト穴やかばんの金具等を利用して装着するものである。しかし、それらの製品は取付けの位置や強度に多くの制限があった。【０００７】  本発明は、このような点に鑑みて成されたものであり、その目的は自在に取り外しが可能な安定した固定力を有するジョイントを使うことにより、ベルト（帯）を有効利用することで様々な付加価値を生み出すことのできる、新しい製品分野を創出することである。
【課題を解決するための手段】
【０００８】  上述の目的を達成する本発明のベルトクリップは、従来の技術を応用することでも比較的簡単に実現可能である。その方法の一つは、従来の製品は取付け対象が異なるため大きさや形状を変更することである。しかし、ベルトクリップは様々な使用状況が考えられ、場合によっては従来のものより強度を要するため、滑り止めを施して固定力を強化したり、スプリングを設置するなどして厚みに対応するため締め付け機能を備えるなどベルト（帯）を対象として構造的に強化することが必要であるという特徴がある。【０００９】  一例として、従来の金具を応用したもの、ネクタイピンのような実用面に加えて装飾を施しアクセサリー的な要素を取り入れたもの（ワンポイントアクセサリーも含む）、スプリングや滑り止めを施した容易に取り外しが可能な新しいタイプのもの、ネジを使ったダイヤル調整のもの等がある。
【発明の効果】
【００１０】  以上説明したように本発明によれば、自在に取り外しが可能な安定した固定力を有するジョイントを使うことにより、ベルト（帯）を有効利用することで様々な付加価値を生み出すことのできる、新しい製品分野を創出することが可能となる。
【発明を実施するための最良の形態】
【００１１】  以下、本発明の実施の形態を図面に基づき詳細に説明する。【００１２】  図１〜５は本発明の実施の形態に係り、図１はローラーを用いたジョイントの例を表す閉状態の正側面図、図２はローラーを用いたジョイントの例を表す開状態の正側面図、図３はダイヤルを用いたジョイントの例を表す正側面図、図４は図１，２のジョイントの実施例を表す側面図、図５は図４の正面図である。【００１３】  図１、２は本発明の実施の形態に係る、ローラーを用いたジョイントを表しており、ベルト固定部１，２と締付部３、ローラー部４、ストッパー部５により構成される。【００１４】  図１，２のローラー式ジョイントは、ベルト（帯）に固定するための固定部１，２を設け、図１の閉状態のままベルト（帯）に本体をスライドさせながらローラー部４を介してベルト（帯）を本体固定部１，２の間に入れていくことで簡単に固定される。ローラー部にはローラーの脇にギヤが取付けてあり、時計回りにしか回転しないようになっている。また、固定部１、及びローラー部４はラバーで覆われており滑り止め等の工夫がされている。また、ベルト（帯）の厚みに対応するため締付部３にスプリング等の締付機能を設け、ある程度の厚みに対応できるようにした。このような構造のため、ベルト（帯）をジョイントに入れると、ストッパー部５を押して図２の開状態にしない限り、安定した固定力でジョイントはベルト（帯）に固定される。より固定力や安定性を求めるならばローラー部を２箇所にするなどの対応により可能である。【００１５】  図３は本発明の実施の形態に係る、ダイヤルを用いたジョイントを表しており、固定部６，７とダイヤル部８、調整部９により構成される。【００１６】  図３のダイヤル式ジョイントは、固定部６をダイヤル部８で調整して開き、固定部６，７の間にベルト（帯）を差込み、ダイヤル部８を調整して締付けることで固定する。固定部６はダイヤル部８と一体になっており、ダイヤル部８のネジの締め付けで固定するようになっている。また、ベルト（帯）の厚みに対応するため調整部９を設け、厚みに応じて調整可能な構造になっている。また、本図では固定部６とダイヤル部８は一体構造としたが、ギヤなどを利用して分離することも可能である。【００１７】  上述したローラー式やダイヤル式の他に、カムやギヤ等の機構を組み合わせたものなどジョイントの形態には多くの方法があるがここでは省略する。【００１８】  図４，５は図１，２のローラー式ジョイントを利用した実施例を表しており、数多くの実施例が考えられるが今回は携帯電話ケースを例にした。図４でローラー式ジョイントに回転部１０を設け、そこに携帯電話ケースを取付ける。【００１９】  ローラー式ジョイントは簡単にスライドインで取付が可能なため、肩下げかばんのベルト（帯）部分や、かばんのポケット部分や縁などに携帯電話が簡単に取付けられるという特徴がある。しかも、この実施例では回転部１０を設けることにより携帯電話の向きを自由に変えられるため、ベルト（帯）に対して直交でも並行でも取付けられるという特性がある。その様子を図５で表す。【００２０】  最近携帯電話は一人一台の時代で必需品である。男性はズボンのポケットなどに入れて携帯する���、女性の多くはかばんに入れるため着信に気付き難く、またかばんの中から携帯電話を探すのも一苦労である。そのような状況であるから、今後はかばんの外にぶら下げたり、かばんの中でチェーンや紐で吊るして取り出し易くして携帯するのが主流となる。しかしぶら下げたり吊るしたりというのは不安定であるため、ベルトクリップのこういった形態の携帯ケースが求められることになるだろう。【００２１】  次に、図６〜１３のジョイントについて順次説明する。これらのジョイントは従来の技術によって実施可能なものであるが、これらをベルトクリップとして利用するためには従来の大きさや形状、そして用途をベルトクリップ用に変える必要がある。場合によっては固定力強化や厚み対応のため、スプリングや滑り止め、調整機能などを補う必要がある。【００２２】  しかしながら、使用目的によっては従来の形態のまま用途だけを変えれば利用可能のものもある。よって、本発明に係るベルトクリップに該当するジョイントは、その形態に左右されず、ベルトクリップの概念に該当するものをベルトクリップと呼ぶことにする。【００２３】  図６はジョイントにクリップを採用した場合の正側面図である。固定部１１はクリップ式になっており、ベルト（帯）に差し込んで使用する。金具１２にはフック等を設けてあり、物が引っ掛かるようにしてある。このような使用目的の場合、従来の技術形態のまま用途をベルトクリップに変え、大きさや形状を変えるだけで実施可能である。しかし、その半面、取付箇所や使用条件に多くの制限が出来ることも考慮しなければならない。【００２４】  図７〜９は図６と同等のジョイントであり、使用目的も金具１２を設けて物を引っ掛けることとしたジョイントの正側面図である。それぞれ図７は固定部１３がボタン式、図８は固定部１４が挟みクリップ式、図９は固定部１５がファスナー式となっており、その全てに対して図６と同様のことが言える。また、その他の従来の技術形態を利用したベルトクリップも色々と考えられるがここでは省略する。【００２５】  図１０〜１３は上記図６〜９の使用目的を変えたものであり、図６のクリップ式を例としてその使用例に応じた金具の形態について説明するための正側面図である。図１０は図６の金具１２のフックを大型にした金具１６を直接取付けたものであり、より大きなものを引っ掛けるために改良したものである。図１１はリング状の金具１７を取付けたものであり、図１０とは逆にキーホルダー等のフックを引っ掛けることを使用目的としたものである。図１２は金具１８のような取付け金具のジョイントを直接取付けたものであり、物を取付けるジョイントとしてベルトクリップを利用したものである。図１３は金具としてベルトクリップを利用したものであり、品物に直接クリップを組み込み、他のジョイントを介さず直接取付けることを目的としたベルトクリップ製品のジョイント例である。また、その他の使用目的に合わせた金具の形状も色々と考えられるがここでは省略する。【００２６】  上述したように、従来の技術形態を利用したベルトクリップも数多く考えられるが、その実施例を図１４、１５の小物入れの側面図で説明する。【００２７】  図１４、１５は同じ小物入れの側面図であ��が、ジョイントの形態だけが異なっている。図１４のジョイント１９は上述した図１３のジョイントを採用して直接製品に組み込んで一体となっており、小物入れ自体がベルトクリップ製品となっている。このため、取り外しはジョイント１９の形状によるが、ベルト（帯）に簡単に直接取付けが可能である。また、図１５のジョイント２０はフック式となっており、図１１のようなジョイントに引っ掛けることを目的としたベルトクリップ製品である。ここで、図１５の形式の場合、ジョイントを介することなくベルト穴等に直接取付けることを目的としたものは著しく類似することになる。しかし、ベルトクリップ製品は取付け箇所に制限が少ないので、取付け箇所が限定されているものについてはそれを含まない。つまり、取付け箇所をベルト穴等に設定された製品はベルトクリップ製品から除外される。ただしジョイントとしてベルトクリップを必要とするものはベルトクリップ製品に含まれるものとする。裏を返して要約すれば、ジョイントとしてのベルトクリップを利用することで、従来製品の取付けを補助し、その可能性が広がることを意味する。【００２８】  最後にベルトクリップの特殊な実施例について図１６、１７の正面図で説明する。【００２９】  図１６はチェーンとリングを繋ぎ合わせたリングチェーン２２の両端にジョイント２１を取付けたベルトクリップの実施例を表す正面図である。ジョイント２１によってベルト（帯）に取付けて使うものであるが、かばんやズボンのベルトに着けてアクセサリーとしても使えるし、キーホルダーを分けて取付ける媒体としても使える。かばんの中に取付ければキーホルダー等が目的に応じて整理でき、取り出しやすくなる。特に鍵を分別して保管したり所持するときに使うキーチェーンとして利用できるだろう。また、そのアレンジは多彩で、この実施形態においては図１７のように取付部２３のようにベルトクリップに関係なく取付け箇所さえあれば同等の効果が得られる製品となり得る。このリングチェーンを利用した実施形態に限っては、本来ベルトクリップから派生したベルトクリップ製品ではあるが、ベルトクリップに限られず、むしろリングチェーン製品という新たなる製品分野を築くことが可能である。【００３０】  上述したように、ベルトクリップを利用したベルトクリップ製品はその使用目的に適った金具とジョイントの組み合わせで無限に創出でき、従来の技術を用いても限られた使用目的では実施可能であるため多くの製品分野を築く可能性がある。このようにして本発明によれば、自在に取り外しが可能な安定した固定力を有するジョイントを使うことにより、ベルト（帯）を有効利用することで様々な付加価値を生み出すことのできる、新しい製品分野を創出することが可能となる。
【産業上の利用可能性】
【００３１】  本発明は金具等ジョイントを製造・販売する産業分野は当然ながら、衣類、所持品、携帯ケース等や、そのファッション性を生かして手持品や装飾品を製造・販売する産業分野でも利用することができ、新たなる製品分野を創出することが可能である。
【図面の簡単な説明】
【００３２】
【図１】  本発明の実施の形態に係るローラー式ジョイントの例を表す閉状態の正側面図である。
【図２】  本発明の実施の形態に係るローラー式ジョイントの例を表す開状態の正側面図である。
【図３】  本発明の実施の形態に係るダイヤル式ジョイントの例を表す正側面図である。
【図４】  図１，２のローラー式ジョイントの実施例の一つである携帯電話ケースを表す側面図。
【図５】  図４の携帯電話ケースの正面図。
【図６】  ベルトクリップとして従来の技術形態を応用したクリップ式ジョイントの例を表す正側面図である。
【図７】  ベルトクリップとして従来の技術形態を応用したボタン式ジョイントの例を表す正側面図である。
【図８】  ベルトクリップとして従来の技術形態を応用した挟みクリップ式ジョイントの例を表す正側面図である。
【図９】  ベルトクリップとして従来の技術形態を応用したファスナー式ジョイントの例を表す正側面図である。
【図１０】  図６のクリップ式ジョイントの金具を大型の固定フックにした例を表す正側面図である。
【図１１】  図６のクリップ式ジョイントの金具をリング状にした例を表す正側面図である。
【図１２】  図６のクリップ式ジョイントの金具を取付け金具にしてジョイントとしてのベルトクリップの例を表す正側面図である。
【図１３】  図６のクリップ式ジョイントの金具を直接製品に組み込む金具にしてベルトクリップ製品としてのベルトクリップの金具の例を表す正側面図である。
【図１４】  図１３のジョイントの金具を製品に直接組み込んだベルトクリップ製品としての小物入れの実施例を表す側面図である。
【図１５】  ジョイントとしてフックを製品に直接取付けたベルトクリップ製品としての小物入れの実施例を表す側面図である。
【図１６】  リングチェーンを利用したベルトクリップ製品の実施例を表す正面図である。
【図１６】  リングチェーンを利用したリングチェーン製品の実施例を表す正面図である。
【図１】
2008093390.tif 000003
【図２】
2008093390.tif 000004
【図３】
2008093390.tif 000005
【図４】
2008093390.tif 000006
【図５】
2008093390.tif 000007
【図６】
2008093390.tif 000008
【図７】
2008093390.tif 000009
【図８】
2008093390.tif 000010
【図９】
2008093390.tif 000011
【図１０】
2008093390.tif 000012
【図１１】
2008093390.tif 000013
【図１２】
2008093390.tif 000014
【図１３】
2008093390.tif 000015
【図１４】
2008093390.tif 000016
【図１５】
2008093390.tif 000017
【図１６】
2008093390.tif 000018
【図１７】
2008093390.tif 000019
【手続補正書】
【提出日】平成18年12月22日(2006.12.22)
【手続補正２】
【補正対象書類名】明細書
【補正対象項目名】００３２
【補正方法】変更
【補正の内容】
【００３２】
【図１】  本発明の実施の形態に係るローラー式ジョイントの例を表す閉状態の正側面図である。
【図２】  本発明の実施の形態に係るローラー式ジョイントの例を表す開状態の正側面図である。
【図３】  本発明の実施の形態に係るダイヤル式ジョイントの例を表す正側面図である。
【図４】  図１，２のローラー式ジョイントの実施例の一つである携帯電話ケースを表す側面図である。
【図５】  図４の携帯電話ケースの正面図である。
【図６】  ベルトクリップとして従来の技術形態を応用したクリップ式ジョイントの例を表す正側面図である。
【図７】  ベルトクリップとして従来の技術形態を応用したボタン式ジョイントの例を表す正側面図である。
【図８】  ベルトクリップとして従来の技術形態を応用した挟みクリップ式ジョイントの例を表す正側面図である。
【図９】  ベルトクリップとして従来の技術形態を応用したファスナー式ジョイントの例を表す正側面図である。
【図１０】  図６のクリップ式ジョイントの金具を大型の固定フックにした例を表す正側面図である。
【図１１】  図６のクリップ式ジョイントの金具をリング状にした例を表す正側面図である。
【図１２】  図６のクリップ式ジョイントの金具を取付け金具にしてジョイントとしてのベルトクリップの例を表す正側面図である。
【図１３】  図６のクリップ式ジョイントの金具を直接製品に組み込む形状にし、ベルトクリップ製品としてのベルトクリップの金具の例を表す正側面図である。
【図１４】  図１３のジョイントの金具を製品に直接組み込んだベルトクリップ製品としての小物入れの実施例を表す側面図である。
【図１５】  ジョイントとしてフックを製品に直接取付けたベルトクリップ製品としての小物入れの実施例を表す側面図である。
【図１６】  リングチェーンを利用したベルトクリップ製品の実施例を表す正面図である。
【図１７】  リングチェーンを利用した製品の実施例を表す正面図である。